(57)【要約】【課題】含浸体の液体を板状の塗布体へ円滑、確実に移動する。塗布体をしっかりと支持しつつ塗布体の先部側をしならせながら塗布する。先部支持部の肌当たりを良くする。【解決手段】板状で毛細管現象を発現する塗布体４の後部４ｚを、高強度の塗布体ホルダ２の後部支持部２ｔに挟ませ又は包むように支持させながら、液体Ｌを含浸した含浸体３に容易に進入させ、支持部２ｔにより後部４ｚを保護しながら折れ曲がらせずに含浸体３に容易に差し込むことを可能とし、含浸体３の液体Ｌを、塗布体４へ確実に移動させ、且つ、支持部２ｔの後端の開口２ｕを通して液体Ｌの流れを直進とし、含浸体３の液体Ｌを円滑に移動させる。また、塗布体４より高強度で支持部２ｔより低強度の先部支持部２ｇにより塗布体４の先部４ｘ側をしっかりと支持しつつ、支持部２ｇ及び塗布体４の先部４ｘ側をしならせながらの塗布を可能とし、且つ、支持部２ｇの肌当たりを良くする。【選択図】図２
2018126210.tif 000002
【特許請求の範囲】
【請求項１】
液体を含浸した含浸体を内部に収容する容器本体と、前記液体を塗布するための塗布部を有し前記含浸体から前記液体を取り入れ前記塗布部に誘導する毛細管現象を発現する塗布体と、を備え、前記塗布体は、前記塗布部が形成され前記容器本体から外部に向かって突出する先部と、前記含浸体から前記液体を取り入れる後部と、を備える液体塗布容器であって、
前記塗布体は、板状に構成されており、
前記塗布体が挿入され前記塗布体を支持する塗布体ホルダを備え、
前記塗布体ホルダの先部は、前記塗布体の先部側を支持する先部支持部を有し、
前記塗布体ホルダの後部は、前記塗布体の挿入方向に沿うように設けられ前記塗布体の後部を挟む又は包むようにして支持すると共に後端が開口され、且つ、前記含浸体に進入する又は前記含浸体が進入する後部支持部を有し、
強度において前記塗布体＜前記先部支持部＜前記後部支持部の関係を満たすことを特徴とする液体塗布容器。
【請求項２】
前記塗布体ホルダは、前記容器本体に係止するための係止部を有し、
強度において前記先部支持部＜前記係止部≦前記容器本体の関係を満たすことを特徴とする請求項１記載の液体塗布容器。
【請求項３】
前記後部支持部が前記含浸体に進入する場合、前記含浸体は中綿であることを特徴とする請求項１又は２記載の液体塗布容器。
【請求項４】
前記後部支持部に前記含浸体が進入する場合、前記含浸体は中継芯であることを特徴とする請求項１又は２記載の液体塗布容器。
【請求項５】
前記後部支持部は、前記塗布体の後部を挟むようにして支持する場合、前記後部支持部同士の間に、前記後端の開口に連通し前側に延びるスリットを備え、
前記塗布体ホルダは、前記スリットを後側から前側へ通る前記塗布体を突き当てるためのストッパを備えることを特徴とする請求項１〜４の何れか一項に記載の液体塗布容器。
【発明の詳細な説明】
【技術分野】
【０００１】
本発明は、液体を塗布するための液体塗布容器に関する。
【背景技術】
【０００２】
従来、液体を塗布する容器として、以下の特許文献１に記載のマーキングペンが知られている。この特許文献１のマーキングペンは以下の通りである。すなわち、従来にあっては、塗布体であるペン体を、容器に収容された含浸体であるインキ吸蔵体に差し込み挿入する際に、ペン体は例えば繊維体より成り柔らかいため曲りが発生し、組立作業が困難であるという問題点に鑑みなされたものであって、有底筒状で後端が尖ったペン体保持部材を設け、このペン体保持部材にペン体を嵌挿し保持させると共に当該ペン体保持部材をインキ吸蔵体へ挿入し、且つ、ペン体保持部材の側壁（周壁）に軸線方向に延び内外を連通するスリット状の切欠部を設けて当該切欠部からペン体を露出させ、この露出部分をインキ吸蔵体に進入させる構成を採用している。そして、このマーキングペンによれば、柔らかいペン体をインキ吸蔵体に直接挿入することなく、ペン体を内部に保持したペン体保持部材をインキ吸蔵体に挿入する構成のため、ペン体保持部材の側壁の切欠部を通して、インキ吸蔵体から液体であるインキが伝達されるようになっている。
【０００３】
一方、特許文献１とは逆に、塗布体に対して含浸体を突き刺す特許文献２に記載の塗布具が知られている。この塗布具にあっては、含浸体を棒状の塗料フィーダとし、この塗料フィーダの後端部を、容器内の塗料タンクに収容された液体である塗料に浸漬すると共に、塗料フィーダの先端部を、塗布体であるブラシに突き刺し差し込む構成を採用し、塗料タンクの塗料が塗料フィーダを通してブラシへ供給されるようになっている。
【先行技術文献】
【特許文献】
【０００４】
【特許文献１】実開昭５９−９９７９１号公報
【特許文献２】特開２０１５−８０８５６号公報
【発明の概要】
【発明が解決しようとする課題】
【０００５】
しかしながら、特許文献１にあっては、インキが、ペン体保持部材の側壁の切欠部から回り込んで内部に進入しペン体の先端へ直進していくため、インキの流れに抵抗が働き、インキが円滑に移動し難いという問題がある。また、ペン体を、薄く柔らかい扁平状の板材とした場合には、上述のように円滑に移動し難いインキを、さらにペン体保持部材の周方向から切欠部を通して内部のペン体に片寄りなく円滑に移動させるのは、より難しいという問題がある。
【０００６】
一方、特許文献２にあっては、塗料タンクから塗料フィーダを通してブラシにインクを移動させる際に、当該インクは円滑に移動するが、ブラシを薄く柔らかい扁平状の板材とした場合には、塗料フィーダの先端部を、薄く柔らかい扁平状の板材に突き刺し差し込もうとしても、当該板材はぺらぺらで、塗料フィーダの先端部の差し込みに対して逃げてしまいうまく差し込むことができず、インクを板材に供給できない虞がある。
【０００７】
従って、特許文献１、２に鑑み、板状の塗布体を採用した場合に、インキやインク等の液体を、インキ吸蔵体や塗料フィーダ等の含浸体から板状の塗布体へ円滑且つ確実に移動させることが望まれている。
【０００８】
そこで、本発明は、含浸体の液体を板状の塗布体へ確実且つ円滑に移動させることができる液体塗布容器を提供することを目的とする。
【課題を解決するための手段】
【０００９】
本発明による液体塗布容器は、液体を含浸した含浸体を内部に収容する容器本体と、液体を塗布するための塗布部を有し含浸体から液体を取り入れ塗布部に誘導する毛細管現象を発現する塗布体と、を備え、塗布体は、塗布部が形成され容器本体から外部に向かって突出する先部と、含浸体から液体を取り入れる後部と、を備える液体塗布容器であって、塗布体は、板状に構成されており、塗布体が挿入され塗布体を支持する塗布体ホルダを備え、塗布体ホルダの先部は、塗布体の先部側を支持する先部支持部を有し、塗布体ホルダの後部は、塗布体の挿入方向に沿うように設けられ塗布体の後部を挟む又は包むようにして支持すると共に後端が開口され、且つ、含浸体に進入する又は含浸体が進入する後部支持部を有し、強度において塗布体＜先部支持部＜後部支持部の関係を満たすことを特徴としている。
【００１０】
このような液体塗布容器によれば、強度において塗布体＜塗布体ホルダの先部支持部＜塗布体ホルダの後部支持部の大小関係を満たすことにより、以下の作用・効果を好適に奏する。すなわち、塗布体ホルダの後部支持部が、液体を含浸した含浸体に進入する場合には、板状で且つ毛細管現象を発現する塗布体の後部が、強度の高い後部支持部に挟まれ又は包まれるように支持されながら含浸体に容易に進入し、後部支持部により塗布体の後部が保護されながら折れ曲がることなく含浸体に容易に差し込まれる。このため、含浸体の液体を、塗布体へ確実に移動させることができると共に、後部支持部の後端の開口を通して液体の流れが直進となり、含浸体の液体を円滑に移動させることができる。また、塗布体ホルダの後部支持部に対して含浸体が進入する場合には、強度の高い後部支持部のその後端の開口を通して含浸体が容易に案内されて進入し、この状態で、塗布体の後部が、後部支持部に挟まれ又は包まれるように支持され、当該塗布体の後部が逃げることなく、後部支持部に案内されて進入した含浸体が、塗布体の後部に容易に差し込まれる。このため、含浸体の液体を、塗布体へ確実に移動させることができると共に、後部支持部の後端の開口を通して液体の流れが直進となり、含浸体の液体を円滑に移動させることができる。加えて、塗布体ホルダの後部支持部が含浸体に進入する場合、塗布体ホルダの後部支持部に対して含浸体が進入する場合の何れの場合であっても、塗布体の先部による塗布の際に、塗布体より強度が高く且つ後部支持部より強度が低い先部支持部によって塗布体の先部側をしっかりと支持しつつ、先部支持部及び塗布体の先部側をしならせながら良好に塗布ができると共に、先部支持部が肌に当たった場合の肌当たりを良くできる。
【００１１】
ここで、塗布体ホルダは、容器本体に係止するための係止部を有し、強度において先部支持部＜係止部≦容器本体の関係を満たしていると、係止部をしっかりと容器本体に係合でき、塗布体ホルダを容器本体にしっかりと装着できる。
【００１２】
また、後部支持部が含浸体に進入する場合、含浸体は中綿であるのが好ましい。このような構成を採用した場合、後部支持部の方が中綿に比して硬いため、後部支持部を確実に中綿に差し込むことができる。
【００１３】
また、後部支持部に含浸体が進入する場合、含浸体は中継芯であるのが好ましい。このような構成を採用した場合、肌に触れる塗布体の方が中継芯に比して軟らかいため、後部支持部に挟まれる又は包まれるようにして支持される塗布体の後部のその後端面に対して、中継芯を確実に差し込むことができる。
【００１４】
また、後部支持部は、塗布体の後部を挟むようにして支持する場合、後部支持部同士の間に、後端の開口に連通し前側に延びるスリットを備え、塗布体ホルダは、スリットを後側から前側へ通る塗布体を突き当てるためのストッパを備えていると、塗布体が塗布体ホルダのストッパに突き当たることによって、塗布体の位置決めが容易に成されると共に、塗布体のそれ以上の前進が阻止され、これにより、塗布体の汚れを落とす等の清掃をしているときに当該塗布体が前方に抜け出てしまうことを防止できる。
【発明の効果】
【００１５】
このように本発明によれば、含浸体の液体を板状の塗布体へ円滑且つ確実に移動させることができ、加えて、塗布の際に、塗布体をしっかりと支持しつつ、塗布体の先部側をしならせながら良好に塗布ができ、さらに、塗布体の先部側を支持している部分が肌に当たった場合の肌当たりを良くできる。
【図面の簡単な説明】
【００１６】
【図１】本発明の第１実施形態に係る液体塗布容器を示す縦断面図である。
【図２】図１のII-II矢視図である。
【図３】図１中の塗布体及び塗布体ホルダの斜視図である。
【図４】図３の塗布体及び塗布体ホルダの上下を逆にして見た斜視図である。
【図５】図４中の塗布体ホルダの先部を後方から見た斜視図である。
【図６】図３中の塗布体ホルダの先部の側面図である。
【図７】図３及び図４中の塗布体ホルダの後部を後方から見た斜視図である。
【図８】図７に示す塗布体ホルダの後部の平面図である。
【図９】図７に示す塗布体ホルダの後部の側面図である。
【図１０】図１〜図４中の塗布体を示す斜視図である。
【図１１】図１０に示す塗布体の側面図である。
【図１２】本発明の第２実施形態に係る液体塗布容器を示す縦断面図である。
【図１３】図１２のXIII-XIII矢視図である。
【図１４】図１２中の塗布体及び塗布体ホルダの斜視図である。
【図１５】図１４の塗布体及び塗布体ホルダを下方から見た斜視図である。
【図１６】図１４中の塗布体ホルダを後方から見た斜視図である。
【図１７】図１６に示す塗布体ホルダの側面図である。
【図１８】図１７に示す塗布体ホルダの下面図である。
【図１９】図１７のXIX-XIX矢視図である。
【図２０】図１８のXX-XX矢視図である。
【図２１】図１２〜図１５中の塗布体を示す斜視図である。
【図２２】図２１に示す塗布体の側面図である。
【図２３】図１２及び図１３中の含浸体を示す斜視図である。
【発明を実施するための形態】
【００１７】
以下、本発明による液体塗布容器の好適な実施形態について図１〜図２３を参照しながら説明する。図１〜図１１は、本発明の第１実施形態を、図１２〜図２３は、本発明の第２実施形態を各々示すものであり、各図において、同一の要素には同一の符号を付し、重複する説明は省略する。
【００１８】
先ず、図１〜図１１に示す第１実施形態を説明する。
【００１９】
図１及び図２は、本発明の第１実施形態に係る液体塗布容器を示す各断面図、図３及び図４は、塗布体及び塗布体ホルダを示す各斜視図、図５及び図６は、塗布体ホルダの先部を示す各図、図７〜図９は、塗布体ホルダの後部を示す各図、図１０及び図１１は、塗布体を示す各図であり、本実施形態の液体塗布容器は、内部に収容した液体を使用者により適宜被塗布部に塗布することができるものである。液体は、ここでは、特に好適であるとして、アイラインを描くための液状化粧料であるアイライナー化粧料とされ、従って、液体塗布容器は、ここでは、アイライナー化粧料塗布容器とされている。
【００２０】
図１及び図２に示すように、アイライナー化粧料塗布容器１００は、容器外形を構成する容器本体１及び先筒２と、容器本体１内に収容された含浸体である中綿３と、容器本体１及び先筒２内に収容されると共に先筒２の先端の開口２ｂから突出する平板状の塗布体４と、を備える。
【００２１】
容器本体１は、強度を保つべく硬質材により形成され、ここでは、ＰＰから形成され、先細の段付き円筒状に構成される。なお、特に好ましいとしてＰＰとしているが、勿論、ＰＰ以外の他の硬質材でも良い。容器本体１の後端の開口は、例えばＰＰ等から成る尾栓６を容器本体１に装着することにより閉じられ、容器本体１の外周面の段差面より後側に拡径して形成された内部空間に、アイライナー化粧料Ｌを含浸した中綿３が充填される。中綿３は、例えばポリエステル等から形成され長尺の円柱状を成し、その後端に配置された例えばＨＤＰＥ等から成るアジャスター５によりそのサイズが調節可能とされる。
【００２２】
先筒２は、塗布体４が挿入され当該塗布体４を支持するための塗布体ホルダである（以降、先筒２を塗布体ホルダ２と呼ぶ）。図３〜図９に示すように、塗布体ホルダ２は、筒状に構成され、前半側の先部２ｘ（以降ホルダ先部２ｘと呼ぶ）と、後半側の後部２ｚ（以降ホルダ後部２ｚと呼ぶ）と、を備える。
【００２３】
ホルダ先部２ｘは、軟質材により形成され、ここでは、ＮＢＲやエラストマー等から形成される。図３〜図６に示すように、ホルダ先部２ｘは、前半側のホルダ先部前半部２ｉと、後半側のホルダ先部後半部２ｊと、を備える。一方、ホルダ後部２ｚは、ホルダ先部２ｘより硬い材質により形成され、ここでは、ＰＰから形成される。ホルダ後部２ｚは、図３、図４、図７〜図９に示すように、前半側のホルダ後部前半部２ｐと、後半側のホルダ後部後半部２ｒと、を備える。そして、図１及び図２に示すように、ホルダ先部２ｘのホルダ先部前半部２ｉは、容器本体１から突出し、ホルダ先部２ｘのホルダ先部前半部２ｉより後側の部分であるホルダ先部後半部２ｊ及びホルダ後部２ｚは、容器本体１内に収容される。
【００２４】
図１〜図６に示すように、ホルダ先部前半部２ｉは、後端側の外周面が円形形状とされ、先端側に行くに従い円形形状が扁平形状になるように縮径する先細り形状とされる。そして、先細り形状の先端面は多少湾曲する傾斜面とされ、その傾斜面に形成された開口２ｂが、軸線方向視において略長方形状を呈し、塗布体４の出口とされる。
【００２５】
図１及び図２に示すように、ホルダ先部２ｘには前後方向に貫通する貫通孔が設けられ、ホルダ先部前半部２ｉに形成され開口２ｂに繋がる筒孔２ｈは、塗布体４を収容するもので、ホルダ先部前半部２ｉの先端側が、塗布体４の先部４ｘ側（詳しくは後述；図１０及び図１１参照）を四方（上下左右）から支持する先部支持部２ｇとされる。筒孔２ｈのうち先部支持部２ｇの筒孔は、塗布体４の先部４ｘ側を支持すべく先部４ｘ側及び中間部４ｙ（詳しくは後述；図１０及び図１１参照）の形状である断面略長方形状を成し、筒孔２ｈのうち先部支持部２ｇより後側の筒孔は、後方へ行くに従い断面略長方形状が徐々に拡径し、塗布体４との間の隙間が拡大する筒孔となっている。
【００２６】
図１、図２、図５及び図６に示すように、ホルダ先部後半部２ｊは、その外周面が、ホルダ先部前半部２ｉの後端に段差面２ｅを介して続く小径の円形形状となっており、所定長後方へ延びている。ホルダ先部後半部２ｊの筒孔２ｙは、ホルダ先部前半部２ｉの断面略長方形状の筒孔２ｈの拡径した後端に同形状で繋がり、筒孔２ｙの後端は外部開放されている。筒孔２ｙは、ホルダ後部前半部２ｐを進入させるものである。ホルダ先部後半部２ｊの筒部分には、ホルダ後部前半部２ｐを装着するための開口（貫通孔）２ａが、一対対向して設けられている。
【００２７】
図１及び図２、図７〜図９に示すように、ホルダ後部前半部２ｐは、ホルダ先部後半部２ｊの筒孔２ｙに進入すべく長方形状の角筒に構成され、その筒孔２ｃ（図１及び図２参照）は、塗布体４を支持すべく塗布体４の中間部４ｙの形状である断面略長方形状を成している。ホルダ後部前半部２ｐの筒部分には、ホルダ先部後半部２ｊの開口２ａにそれぞれ嵌着するための突起２ｋが、一対対向して設けられている。
【００２８】
ホルダ後部後半部２ｒの先端部は、ホルダ後部前半部２ｐの後端に段差面２ｏを介して続く円形形状の大径部２ｖとされており、短尺に後方へ延びている。大径部２ｖには、外周面から凹む凹部が、容器本体１に嵌合する係止部（嵌合部）２ｗとして円環状に設けられる。大径部２ｖには、ホルダ後部前半部２ｐの断面略長方形状の筒孔２ｃ（図１及び図２参照）が連続し軸線方向に延びて当該大径部２ｖを貫通するように形成される。
【００２９】
大径部２ｖには、図７及び図８に示すように、当該大径部２ｖの後端面から切り欠かれて前方へ延び、断面略長方形状の筒孔２ｃの長径側（図８の紙面垂直方向；図９の上下方向）へ延びて筒内外を連通するスリット２ｎが一対対向して設けられる。スリット２ｎは、凹状の係止部２ｗを形成する後側の凸部を横切り（横断し）、凹状の係止部２ｗを形成する前側の凸部へ達するように延びている。この前側の凸部のうちスリット２ｎが達する部分（スリット２ｎより前側で外方の部分）が、塗布体４を組み付ける際に当該塗布体４のストッパ４ｆ（詳しくは後述）が突き当たるストッパ２ｆとされる。
【００３０】
大径部の２ｖの後端面において、周方向に沿ってスリット２ｎが形成されていない位置には、塗布体４の挿入方向に沿うように連設されて後方へ突出する一対の突出部２ｔ，２ｔを備える。これらの突出部２ｔ，２ｔは、塗布体４の後部４ｚ（詳しくは後述；図１０及び図１１参照）を両側から挟み支持する後部支持部であり（以降、突出部２ｔを後部支持部２ｔと呼ぶ）、個々の後部支持部２ｔは、平板状に構成され、後端側に行くに従い先細り且つ肉薄となる形状となっている。そして、一方の後部支持部２ｔの一方側（図７の上側）の端部と他方の後部支持部２ｔの一方側（図７の上側）の端部との間にスリット（隙間）２ｓが形成された格好となっており、一方の後部支持部２ｔの他方側（図７の下側）の端部と他方の後部支持部２ｔの他方側（図７の下側）の端部との間にも同様なスリット２ｓが形成された格好になっていて、これらのスリット２ｓ，２ｓが対向し互いに連通する格好となっている。また、後部支持部２ｔ，２ｔ同士の間の後端は、後方へ開放され、開口２ｕが開口された格好となっている。
【００３１】
そして、図１、図２、図５及び図７に示すように、ホルダ後部２ｚのホルダ後部前半部２ｐが、ホルダ先部２ｘのホルダ先部後半部２ｊの筒孔２ｙに対して、断面略長方形状が合うようにして挿入されると共に、ホルダ後部前半部２ｐの突起２ｋが、ホルダ先部後半部２ｊの開口２ａに嵌合することにより、ホルダ先部２ｘとホルダ後部２ｚが連結され一体化される。
【００３２】
塗布体４は、アイライナー化粧料Ｌを目の縁に沿って塗布する際に用いられるものであり、チップとも称されるものである。図１０及び図１１に示すように、塗布体４は、薄い平板状とされて軸線方向に延び、アイラインの細い線を描くのに最適な厚さにされる。この塗布体４は、中綿３に含浸されたアイライナー化粧料Ｌを取り入れて先端側の塗布部４ａに誘導する（移動させる）毛細管現象を発現するものであり、塗布の際に肌に馴染む柔らかい感触が得られるように、ここでは、ポリオレフィンより形成されている。
【００３３】
なお、塗布体４としては、最低限、毛細管現象を発現できれば良いが、柔らかい感触が得られるのが好ましく、柔らかい繊維質の材質や、スポンジ等の柔らかい多孔質材を採用することができ、ポリオレフィン以外の例えばナイロン、ポリエステル等より形成されても良い。因みに、繊維質の材質とするのが、より好ましい。
【００３４】
この塗布体４は、先端側の先部４ｘと、後端側の後部４ｚと、先部４ｘと後部４ｚとの間の中間部４ｙと、を備える。
【００３５】
先部４ｘは、塗布体ホルダ２の開口２ｂから突出する部分であり（図１参照）、平面視において（図１１の紙面垂直方向視において）、例えば包丁等の片刃形状の先端部分（刃先）の形状を呈する。具体的には、先部４ｘの外縁の形状は、平面視において、片刃形状の刃の後側の部分である所謂みねに対応する部分４ｍが、直線状に構成され、その直線状の先端は、鋭角にＲを施した先端部４ｎとされ、この先端部４ｎから後方への部分は、刃の所謂反りの部分と同様に、湾曲し傾斜する湾曲傾斜面４ａとなっている。そして、この厚みが薄く湾曲する湾曲傾斜面４ａが、アイラインを描く塗布部となる（以降、湾曲傾斜面４ａを塗布部４ａと呼ぶ）。
【００３６】
なお、ここでは、アイライナー化粧料Ｌを塗布するのに特に好ましい形状として、先端部４ｎは、片刃形状のように、平面視において幅方向（図１１の上下方向）の一方側（図１１の上側）に片寄って配置されているが、両刃形状のように、幅方向の中央に配置されていても良い。また、塗布部４ａは湾曲し傾斜しているが、直線状に傾斜していても良い。
【００３７】
中間部４ｙは、軸線方向の途中の両側面（図１１の上下面）に、先端側に対して後端側が幅方向外側へ拡大する段差面４ｆを有し、この段差面４ｆより前側の部分に対して後側の部分が幅方向に広い平板となっている。そして、この段差面４ｆが、塗布体ホルダ２に組み付ける際に当該塗布体ホルダ２のストッパ２ｆに突き当たるストッパとされる（以降、段差面４ｆをストッパ４ｆと呼ぶ）。
【００３８】
後部４ｚは、中綿３に進入しアイライナー化粧料Ｌを取り入れる部分であり（図１及び図２参照）、平面視において、例えば両刃形状の先端部分の形状を呈する。具体的には、後端の幅方向中央が、中綿３へ容易に差し込まれるべく、後方に向かって尖るように構成される。
【００３９】
そして、平板状の塗布体４は、図３及び図４に示すように、その先部４ｘから、塗布体ホルダ２のホルダ後部２ｚの後部支持部２ｔ，２ｔ間を通り、ホルダ後部２ｚの大径部２ｖのスリット２ｎを通ると共に筒孔２ｃに挿入され、図１に示すように、その段差面であるストッパ４ｆが、塗布体ホルダ２のストッパ２ｆに突き当たることにより、位置決めが成されると共にそれ以上の前進が阻止される。
【００４０】
この状態で、図１〜図４に示すように、塗布体４の先部４ｘは、塗布体ホルダ２の先部２ｘの開口２ｂから突出し、塗布体４の先部４ｘの外縁形状に概ね沿うような外縁形状を有する（概ね小さい相似形とされる）塗布体ホルダ２の先部支持部２ｇにより先部４ｘ側が四方から囲まれるようにして挟まれ支持される。
【００４１】
また、塗布体４の後部４ｚは、大径部２ｖのスリット２ｎから露出した状態で後方へ突出し、平板状を成し後方へ延びる塗布体ホルダ２の後部支持部２ｔ，２ｔにより両側から挟まれて支持される。この状態で、塗布体４の後部４ｚは、塗布体ホルダ２の後部支持部２ｔ，２ｔより後方へ多少はみ出すように突出していると共に、上下方向へ大きくはみ出すように突出している。
【００４２】
そして、このようにして塗布体４が一体化された塗布体ホルダ２は、図１及び図２に示すように、その後部支持部２ｔ，２ｔ側から容器本体１の円筒状の先端部の筒孔に挿入され、その段差面２ｅが、容器本体１の先端面に突き当てられ、その大径部２ｖの凹状の係止部２ｗが、容器本体１の内周面に形成された凸部１ｗに嵌合することにより、塗布体４を支持した塗布体ホルダ２が容器本体１に装着される。
【００４３】
この状態で、材質の違いにより、強度において塗布体４＜先部支持部２ｇ（ホルダ先部２ｘ）＜後部支持部２ｔ（ホルダ後部２ｚ）の関係が満たされている。
【００４４】
また、材質の違いにより、強度において＜中綿３＜後部支持部２ｔ（ホルダ後部２ｚ）となっている。なお、ここでは、強度において＜中綿３＜先部支持部２ｇ（ホルダ先部２ｘ）としているが、逆でも良い。
【００４５】
この状態で、塗布体ホルダ２の後部支持部２ｔ，２ｔに挟まれ支持された塗布体４の後部４ｚは、中綿３に進入し差し込まれた状態となっており、塗布体４は、塗布体ホルダ２のストッパ２ｆにより前進が阻止されると共に、中綿３により後退が阻止され、その軸線方向の位置決めが成されている。
【００４６】
そして、このようにして、塗布体４を支持した塗布体ホルダ２が容器本体１に装着されることにより、図１及び図２に示すアイライナー化粧料塗布容器１００が得られる。なお、アイライナー化粧料塗布容器１００にあっては、図１に示すように、塗布体４を覆うようにキャップ９が着脱可能に装着される。
【００４７】
このように構成されたアイライナー化粧料塗布容器１００にあっては、中綿３に含浸されたアイライナー化粧料Ｌは、塗布体４の毛細管現象により、塗布体４の後部４ｚから取り入れられて当該塗布体４を移動しさらに先部４ｘの塗布部４ａへ移動し、当該塗布部４ａにより、アイラインの細い線を柔らかい感触で描くことができる。
【００４８】
そして、特に、このようなアイライナー化粧料塗布容器１００によれば、強度において塗布体４＜塗布体ホルダ２の先部支持部２ｇ＜塗布体ホルダ２の後部支持部２ｔの大小関係を満たすことにより、以下の作用・効果を好適に奏する。すなわち、板状で且つ毛細管現象を発現する塗布体４の後部４ｚが、強度の高い後部支持部２ｔ，２ｔに挟まれ支持されながら中綿３に容易に進入し、後部支持部２ｔ，２ｔにより塗布体４の後部４ｚが保護されながら折れ曲がることなく中綿３に容易に差し込まれる。このため、中綿３のアイライナー化粧料Ｌを、塗布体４へ確実に移動させることができると共に、後部支持部２ｔ，２ｔの後端の開口２ｕを通してアイライナー化粧料Ｌの流れが直進となり、中綿３のアイライナー化粧料Ｌを円滑に移動させることができる。加えて、塗布体４の先部４ｘによる塗布の際に、塗布体４より強度が高く且つ後部支持部２ｔより強度が低い先部支持部２ｇによって塗布体４の先部４ｘ側をしっかりと支持しつつ、先部支持部２ｇ及び塗布体４の先部４ｘ側をしならせながら良好に塗布ができると共に、先部支持部２ｇが肌に当たった場合の肌当たりを良くできる。特に、塗布体４は、アイラインの細い線を描くべく薄い平板状にされると共に、柔らかい感触のものとされているため、当該塗布体４はぺらぺらであり、そのままでは、塗布体４の先部４ｘが、アイラインを描く際の筆圧により折れ曲がってしまうという問題を生じるが、本実施形態においては、塗布体４の先部４ｘ側を先部支持部２ｇによりしっかり支持しているため、その点は解消されており、目の縁に沿って所望幅の細い綺麗なアイラインを容易に描くことができる。
【００４９】
また、本実施形態によれば、塗布体ホルダ２のホルダ後部２ｚの係止部２ｗ（凹部を形成する前後の凸部を含む）が、強度において先部支持部２ｇ＜係止部２ｗ＝容器本体１の関係を満たしているため、係止部２ｗをしっかりと容器本体１に係合でき、塗布体ホルダ２を容器本体１にしっかりと装着できる。なお、第１実施形態では、ホルダ後部２ｚの材質を、容器本体１と同一としいるが、ホルダ後部２ｚの材質は、先部支持部２ｇより硬く、且つ、容器本体１より軟らかい材質としても良い。
【００５０】
また、本実施形態によれば、塗布体ホルダ２の後部支持部２ｔ，２ｔが中綿３に比して硬いため、後部支持部２ｔ，２ｔを確実に中綿３に差し込むことができる。
【００５１】
また、塗布体４は、塗布体ホルダ２のホルダ後部後半部２ｒの大径部２ｖのスリット２ｎから露出し、大径部２ｖの後端から後方へ突出しているため（図３及び図４参照）、中綿３との接触面積が大きくなっており、一層多くのアイライナー化粧料Ｌを塗布体４へ移動させることができる。
【００５２】
また、塗布体ホルダ２の後部支持部２ｔ，２ｔ同士の間に、後端の開口２ｕに連通し前側に延びるスリット２ｓ，２ｓを備え、塗布体ホルダ２は、スリット２ｓ，２ｓを後側から前側へ通る塗布体４を突き当てるためのストッパ２ｆ，２ｆを備えているため（図３、図４及び図７参照）、塗布体４のストッパ４ｆ，４ｆが塗布体ホルダ２のストッパ２ｆ，２ｆに突き当たることによって（図１参照）、塗布体４の位置決めが容易に成されると共に、塗布体４のそれ以上の前進が阻止され、これにより、図１及び図２に示すアイライナー化粧料塗布容器１００の状態において塗布体４の汚れを落とす等の清掃をしているときに、当該塗布体４が前方に抜け出てしまうことを防止できる。
【００５３】
ここで、本発明者は、小型卓上試験機ＥＺ  Ｔｅｓｔ（島津製作所製）を用い、支点間距離を２０ｍｍ、クロスヘッド速度２０ｍｍ／分、幅３ｍｍ、長さ３０ｍｍの試験片の厚さ方向に荷重を加える３点曲げ試験を行い、撓み量が４ｍｍとなる際の荷重が０．１７Ｎ以下である材質・厚さを有する塗布体が、柔らかく且つ塗布感が良い塗布体であることを見出した。そして、このような試験によれば、塗布体の材質をポリオレフィンとし、その厚さを１ｍｍ以下とすれば柔らかさを確保でき、柔らかさの観点から０．７ｍｍ以下とするのがより好ましいということが分かった。
【００５４】
なお、第１実施形態では、特に好ましいとして、塗布体ホルダ２の後部支持部２ｔ，２ｔにより、平板状の塗布体４の後部４ｚを挟むようにして支持しているが、塗布体ホルダ２の後部支持部２ｔ，２ｔにより挟まれずに外部に露出している部分を覆うようにし、塗布体４の後部４ｚの全周を包むようにして支持するようにしても良い。このように構成しても、塗布体４の後部４ｚを、塗布体ホルダ２の後部支持部２ｔ，２ｔにより挟み支持する場合とほぼ同様な作用・効果を奏する。因みに、このように後部支持部が塗布体４の後部４ｚの全周を包むようにして支持する場合、後部支持部の側面（周面）に、後端の開口２ｕに連通し前側に延びる液体進入スリットを単数又は複数設けることにより、中綿３のアイライナー化粧料Ｌが液体進入スリットを通して後部支持部内に進入し、一層多くのアイライナー化粧料Ｌを塗布体４へ移動させることができる。この場合、後部支持部内の塗布体４が、液体進入スリットへ進入、又は、液体進入スリットを通して外部の中綿３へ進入していると、より一層多くのアイライナー化粧料Ｌを塗布体４へ移動させることができるので、より好ましい。
【００５５】
以上、第１実施形態にあっては、平板状の塗布体４を含浸体である中綿３に対して差し込むタイプのアイライナー化粧料塗布容器１００について説明したが、次の図１２〜図２３に示す第２実施形態にあっては、平板状の塗布体に対して含浸体を差し込むタイプのアイライナー化粧料塗布容器について説明する。
【００５６】
図１２及び図１３は、本発明の第２実施形態に係る液体塗布容器を示す各断面図、図１４及び図１５は、塗布体及び塗布体ホルダを示す各斜視図、図１６〜図２０は、塗布体ホルダを示す各図、図２１及び図２２は、塗布体を示す各図、図２３は、含浸体を示す斜視図であり、この第２実施形態でも、液体塗布容器として、液体をアイライナー化粧料としたアイライナー化粧料塗布容器が用いられている。
【００５７】
図１２及び図１３に示すように、アイライナー化粧料塗布容器２００は、各部品を収容する容器本体１１と、容器本体１１内の後半部に設けられアイライナー化粧料Ｌを収容する収容部１１ａと、容器本体１１の先端から突出し収容部１１ａ内のアイライナー化粧料Ｌを塗布するための塗布体１４と、塗布体１４を支持し容器本体１１に装着される塗布体ホルダ１２と、容器本体１１内に配置され収容部１１ａ内と塗布体１４を結ぶ含浸体である軸状の中継芯１７と、中継芯１７周りに装着された略円筒状のジャバラ部材１８と、を備える。
【００５８】
なお、ここでは、使用者が持って塗布しやすいように、容器本体１１の後側に対して、有底円筒状で軸線方向に長尺な把持筒２０が着脱可能又は着脱不能に装着されると共に、塗布体１４を保護すべく、容器本体１１の前側に対して、キャップ１９が着脱可能に装着される。
【００５９】
容器本体１１は、強度を保つべく硬質材により形成され、ここでは、ＰＰから形成され、先細の円筒状に構成される。なお、特に好ましいとしてＰＰとしているが、勿論、ＰＰ以外の他の硬質材でも良い。この容器本体１１の先端側の外周面には、円環状の鍔部１１ｂが設けられる。容器本体１１の後端の開口は、例えばＰＰ等から成る尾栓１６を容器本体１１に装着することにより閉じられ、容器本体１１内のジャバラ部材１８より後側に拡径して形成された内部空間が、アイライナー化粧料Ｌが充填された収容部１１ａとされる。収容部１１ａ内には、アイライナー化粧料Ｌと共に、当該アイライナー化粧料Ｌを撹拌すべく例えばＳＵＳ等より形成された球状の撹拌子１３が収容される。
【００６０】
塗布体ホルダ１２は、塗布体１４が挿入され当該塗布体１４を支持するためのもので筒状に構成され、図１４〜図２０に示すように、前半側の先部１２ｘ（以降ホルダ先部１２ｘと呼ぶ）と、後半側の後部１２ｚ（以降ホルダ後部１２ｚと呼ぶ）と、を備える。
【００６１】
ホルダ先部１２ｘは、軟質材により形成され、ここでは、ＮＢＲやエラストマー等から形成される。ホルダ先部１２ｘは、前半側のホルダ先部前半部１２ｉと、後半側のホルダ先部後半部１２ｊと、を備える。一方、ホルダ後部１２ｚは、ホルダ先部１２ｘより硬い材質により形成され、ここでは、ＰＰから形成される。ホルダ後部１２ｚは、前半側のホルダ後部前半部としての大径部１２ｖと、後半側のホルダ後部後半部としての後部支持部１２ｔと、を備える。
【００６２】
そして、特に本実施形態においては、ホルダ先部１２ｘとホルダ後部１２ｚは、２色成形により一体で成形されている。
【００６３】
図１２及び図１３に示すように、ホルダ先部１２ｘのホルダ先部前半部１２ｉは、容器本体１１から突出し、ホルダ先部１２ｘのホルダ先部前半部１２ｉより後側の部分であるホルダ先部後半部１２ｊ及びホルダ後部１２ｚは、容器本体１１内に収容される。
【００６４】
図１２〜図２０に示すように、ホルダ先部前半部１２ｉは、後端側の外周面が円形形状とされ、先端側に行くに従い円形形状が扁平形状になるように縮径する先細り形状とされる。そして、先細り形状の先端面は多少湾曲する傾斜面とされ、その傾斜面に形成された開口１２ｂが、軸線方向視において略長方形状を呈し、塗布体１４の出口とされる。
【００６５】
ホルダ先部１２ｘには前後方向に貫通する貫通孔が設けられ、ホルダ先部前半部１２ｉに形成され開口１２ｂに繋がる筒孔１２ｈ（図１２、図１３、図１９及び図２０参照）は、塗布体１４を収容するもので、ホルダ先部前半部１２ｉが、塗布体１４の先部１４ｘ側（詳しくは後述；図２１及び図２２参照）を四方（上下左右）から支持する先部支持部１２ｇとされる。筒孔１２ｈは、塗布体１４の先部１４ｘ側を支持すべく先部１４ｘ側及び中間部１４ｙ（詳しくは後述；図２１及び図２２参照）の形状である断面略長方形状を成している。
【００６６】
ホルダ先部後半部１２ｊは、ホルダ先部前半部１２ｉの後端の円形の外周面に続く外周面を有する筒状に構成され、ホルダ先部後半部１２ｊの先端側の筒孔は、ホルダ先部前半部１２ｉの筒孔１２ｈに同形状で続く筒孔とされ、この筒孔１２ｈに続く筒孔１２ｙは、その長径側が筒孔１２ｈの長径と同じである（図１２参照）一方で、その短径側が、中継芯１７の後述の軸部１７ａの直径と同じ長さの筒孔となっている（図１３参照）。すなわち、図１９及び図２０に示すように、筒孔１２ｙは、断面略長方形状の両側面に、軸部１７ａの外周面に合致する円弧状の曲面がそれぞれ連設される形状となっている。
【００６７】
大径部１２ｖは、ホルダ先部後半部１２ｊの後端に段差面１２ｏを介して続く円形形状の大径部とされており、短尺に後方へ延びている。この段差面１２ｏを有し外方へ突出する部分が、塗布体ホルダ１２を軸線方向へ係止するための係止部１２ｗとされる。この係止部１２ｗは、軸線方向に所定長を有する。そして、大径部１２ｖの筒孔も、ホルダ先部後半部１２ｊの筒孔１２ｙより同形状で続く筒孔とされる。
【００６８】
大径部１２ｖの筒孔１２ｙの後端は、塗布体１４の出口となる開口１２ｄとされる（図１６及び図２０参照）。開口１２ｄの形状は、前述したように、断面略長方形状の両側面に、軸部１７ａの外周面に合致する円弧状の曲面がそれぞれ連設された形状である。図１６及び図１８に示すように、大径部１２ｖには、当該大径部１２ｖの後端面から切り欠かれて前方へ延び、筒孔１２ｙの長径側（図１６の上下方向）へ延びて筒内外を連通する溝１２ｎが一対対向して設けられる。そして、開口１２ｄの長径側の周囲は、上記溝１２ｎにより軸線方向前側にへこむ凹部１２ｑとされ、塗布体１４を組み付ける際に、凹部１２ｑに塗布体１４のストッパ１４ｆ（詳しくは後述）が進入し、凹部１２ｑの底面１２ｆが、塗布体１４のストッパ１４ｆが突き当たるストッパとされる（以降、凹部１２ｑの底面１２ｆをストッパ１２ｆと呼ぶ）。
【００６９】
後部支持部１２ｔは、大径部１２ｖの後端面に、塗布体１４の挿入方向に沿うように連設されて後方へ突出する一対の突出部１２ｔ，１２ｔである。これらの後部支持部１２ｔ，１２ｔは、塗布体１４の後述の後部１４ｚ（詳しくは後述；図２１及び図２２参照）を両側から挟み支持するものであり、個々の後部支持部１２ｔは、円筒を半割とした断面略半円筒形状とされ、一方の後部支持部１２ｔの断面略半円筒形状の両側の端面１２ｍ，１２ｍと、他方の後部支持部１２ｔの断面略半円筒形状の両側の端面１２ｍ，１２ｍとが、互いに対向し、塗布体１４の後部１４ｚを両側から挟む面とされる。これらの後部支持部１２ｔ，１２ｔは、軸線方向視において、断面略半円筒形状の後部支持部１２ｔ，１２ｔ同士の間に、開口１２ｄの短径側（図１８の上下方向）が位置するように配置される。
【００７０】
そして、このような構成を採用することにより、一方の後部支持部１２ｔの一方側の端面１２ｍと他方の後部支持部１２ｔの一方側の端面１２ｍとの間にスリット１２ｓが形成されると共に、一方の後部支持部１２ｔの他方側の端面１２ｍと他方の後部支持部１２ｔの他方側の端面１２ｍとの間に、同様なスリット１２ｓが形成された格好となっている。このスリット１２ｓ，１２ｓの各々は、大径部１２ｖの後端面の開口１２ｄにそれぞれ直線状に連通する構成となっている。また、後部支持部１２ｔ，１２ｔ同士の間の後端は、後方へ開放され、開口１２ｕが開口された格好となっている。
【００７１】
塗布体１４は、アイライナー化粧料Ｌを目の縁に沿って塗布する際に用いられるものであり、チップとも称されるものである。図２１及び図２２に示すように、塗布体１４は、薄い平板状とされて軸線方向に延び、アイラインの細い線を描くのに最適な厚さにされる。この塗布体１４は、中継芯１７からアイライナー化粧料Ｌを取り入れて先端側の塗布部１４ａに誘導する（移動させる）毛細管現象を発現するものであり、塗布の際に肌に馴染む柔らかい感触が得られるように、ここでは、ポリオレフィンより形成されている。
【００７２】
なお、塗布体１４としては、最低限、毛細管現象を発現できれば良いが、柔らかい感触が得られるのが好ましく、柔らかい繊維質の材質や、スポンジ等の柔らかい多孔質材を採用することができ、ポリオレフィン以外の例えばナイロン、ポリエステル等より形成されても良い。因みに、繊維質の材質とするのが、より好ましい。
【００７３】
この塗布体１４は、先端側の先部１４ｘと、後端側の後部１４ｚと、先部１４ｘと後部１４ｚとの間の中間部１４ｙと、を備える。
【００７４】
先部１４ｘは、塗布体ホルダ１２の開口１２ｂから突出する部分であり（図１２参照）、平面視において（図２２の紙面垂直方向視において）、例えば包丁等の片刃形状の先端部分（刃先）の形状を呈する。具体的には、先部１４ｘの外縁の形状は、平面視において、片刃形状の刃の後側の部分である所謂みねに対応する部分１４ｍが、直線状に構成され、その直線状の先端は、鋭角にＲを施した先端部１４ｎとされ、この先端部１４ｎから後方への部分は、刃の所謂反りの部分と同様に、湾曲し傾斜する湾曲傾斜面１４ａとなっている。そして、この厚みが薄く湾曲する湾曲傾斜面１４ａが、アイラインを描く塗布部となる（以降、湾曲傾斜面１４ａを塗布部１４ａと呼ぶ）。
【００７５】
なお、ここでは、アイライナー化粧料Ｌを塗布するのに特に好ましい形状として、先端部１４ｎは、片刃形状のように、平面視において幅方向（図２２の上下方向）の一方側（図２２の上側）に片寄って配置されているが、両刃形状のように、幅方向の中央に配置されていても良い。また、塗布部１４ａは湾曲し傾斜しているが、直線状に傾斜していても良い。
【００７６】
中間部１４ｙは、先部１４ｘの後端に続き、断面略長方形状に形成される。
【００７７】
後部１４ｚは、その後端に進入する中継芯１７からアイライナー化粧料Ｌを取り入れる部分であり（図１２参照）、中継芯１７の先端の突起１７ｂ（詳しくは後述）が容易に差し込まれるべく、後端面から前方へ向かって凹むスリット状のへこみ１４ｋを備える。そして、このへこみ１４ｋを含む後側が、中継芯１７からアイライナー化粧料Ｌを取り入れる後部１４ｚとされる。この後部１４ｚは、後端から切り込むへこみ１４ｋにより二股の突出部１４ｗ，１４ｗに分けられる。これらの突出部１４ｗ，１４ｗの各々の先端側の両側面（図２２の上下面）には、外側へ突出する凸部１４ｆが設けられる。そして、塗布体１４を塗布体ホルダ１２に組み付ける際に、凸部１４ｆが、塗布体ホルダ１２の凹部１２ｑに進入し、塗布体ホルダ１２のストッパ１２ｆに突き当たるストッパとされる（以降、凸部１４ｆをストッパ１４ｆと呼ぶ）。
【００７８】
このような平板状の塗布体１４は、図１４及び図１５に示すように、その先部１４ｘから、塗布体ホルダ１２のホルダ後部１２ｚの後部支持部１２ｔ，１２ｔ間を通り、大径部１２ｖの後端面の開口１２ｄ（図１６参照）に挿入され、図１２、図１４及び図１５に示すように、その凸部であるストッパ１４ｆが、塗布体ホルダ１２の大径部１２ｖのストッパ１２ｆに突き当たることにより、位置決めが成されると共にそれ以上の前進が阻止される。
【００７９】
この状態で、塗布体１４の先部１４ｘは、塗布体ホルダ１２の先部１２ｘの開口１２ｂから突出し、塗布体１４の先部１４ｘの外縁形状に概ね沿うような外縁形状を有する（概ね小さい相似形とされる）塗布体ホルダ１２の先部支持部１２ｇにより先部４ｘ側が四方から囲まれるようにして挟まれ支持される。
【００８０】
また、図１２、図１４及び図１５に示すように、塗布体１４の後部１４ｚは、塗布体ホルダ１２の後部支持部１２ｔ，１２ｔにより両側から挟まれて支持される。具体的には、一方の後部支持部１２ｔの断面略半円筒形状の一方側の端面１２ｍと、他方の後部支持部１２ｔの断面略半円筒形状の一方側の端面１２ｍとの間に、後部１４ｚの一方の突出部１４ｗが挟まれると共に、一方の後部支持部１２ｔの断面略半円筒形状の他方側の端面１２ｍと、他方の後部支持部１２ｔの断面略半円筒形状の他方側の端面１２ｍとの間に、後部１４ｚの他方の突出部１４ｗが挟まれ、当該塗布体１４の後部１４ｚが支持される。
【００８１】
そして、このようにして塗布体１４が一体化された塗布体ホルダ１２は、図１２及び図１３に示すように、その先端側から容器本体１１の後端の開放された開口を通して筒孔に挿入され、その係止部１２ｗが、容器本体１１の先端側の内周面に設けられた段差面に突き当てられ、係止部１２ｗの段差面１２ｏより前側の部分の外周面が、容器本体１１の先端の内周面に嵌着されることにより、塗布体１４を支持した塗布体ホルダ１２が、容器本体１１に装着される。
【００８２】
ジャバラ部材１８は、アイライナー化粧料Ｌの流量をコントロールするためのものであり、例えばＰＰ等から形成される。このジャバラ部材１８は、略円筒状に構成され、その先端部より後側に、軸線方向に沿って、アイライナー化粧料Ｌを含むための溝（ジャバラ）が設けられる。
【００８３】
中継芯１７は、例えばＰＥＴ等から形成され、図２３に示すように、断面円形の軸状に構成される。この中継芯１７は、軸線方向に延びる軸部１７ａと、軸部１７ａの先端に段差面１７ｃを介して縮径するように設けられ前方へ突出する突起１７ｂと、を有する。図１２及び図１３に示すように、中継芯１７の軸部１７ａは、ジャバラ部材１８の筒孔を通過し、その先端側が、ジャバラ部材１８の先端側と嵌合することにより、ジャバラ部材１８に装着されている。
【００８４】
そして、このようにして中継芯１７が一体化されたジャバラ部材１８は、その先端側から容器本体１１の後端の開放された開口を通して筒孔に挿入され、ジャバラ部材１８の円筒状の後端部１８ａが、容器本体１１の内周面の凹部１１ｃに嵌合することにより、容器本体１１に装着される。
【００８５】
この状態で、ジャバラ部材１８の円筒状の先端部は、塗布体ホルダ１２の大径部１２ｖの後端面に突き当てられ（図１３参照）、塗布体１４のストッパ１４ｆは、塗布体ホルダ１２のストッパ１２ｆとジャバラ部材１８の先端面との間に挟まれるようにして軸線方向に移動不能とされる（図１２参照）。また、この状態で、中継芯１７の段差面１７ｃが、塗布体１４の後端面に突き当てられる（図１２参照）と共に、中継芯１７の突起１７ｂが、塗布体ホルダ１２の後部１２ｚの後端の開口１２ｕを通して進入し（図１５及び図２３参照）、さらに、塗布体ホルダ１２の後部支持部１２ｔ，１２ｔに挟まれ支持されている塗布体１４の後部１４ｚに差し込まれ進入する。具体的には、中継芯１７の突起１７ｂは、後部１４ｚの突出部１４ｗ，１４ｗ同士の間に形成されたへこみ１４ｋに差し込まれ進入する（図１２参照）。この状態で、中継芯１７の突起１７ｂは、塗布体１４の後部１４ｚに接触している。
【００８６】
そして、容器本体１１内のジャバラ部材１８の後端部１８ａより後方の開口に対して、上記尾栓１６が装着され、ジャバラ部材１８の後端部１８ａと尾栓１６との間に、上記収容部１１ａが形成され、この収容部１１ａにアイライナー化粧料Ｌが充填される。
【００８７】
このようにして組み立てられたユニットは、その後端側から、把持筒２０の筒孔に挿入され、その容器本体１１の鍔部１１ｂが、把持筒２０の先端面に突き当てられ、この状態で、容器本体１１の鍔部１１ｂより後側の外周面が、把持筒２０の先端側の内周面に係合することにより把持筒２０に装着され、図１２及び図１３に示すアイライナー化粧料塗布容器２００が得られる。
【００８８】
この状態で、材質の違いにより、強度において塗布体１４＜先部支持部１２ｇ（ホルダ先部１２ｘ）＜後部支持部１２ｔ（ホルダ後部１２ｚ）の関係が満たされている。
【００８９】
また、材質の違いにより、強度において中継芯１７＜後部支持部１２ｔ（ホルダ後部１２ｚ）となっている。なお、ここでは、強度において中継芯１７＜先部支持部１２ｇ（ホルダ先部１２ｘ）としているが、逆でも良い。また、材質の違いにより、強度において塗布体１４＜中継芯１７となっている。
【００９０】
このように構成されたアイライナー化粧料塗布容器２００にあっては、容器本体１１内のアイライナー化粧料Ｌは、中継芯１７の後部から取り入れられ軸部１７ａを通って先端の突起１７ｂに移動し、さらに、アイライナー化粧料Ｌは、塗布体１４の毛細管現象により、突起１７ｂが差し込まれ接触する塗布体１４の後部１４ｚに取り入れられ、当該塗布体１４を移動しさらに先部１４ｘの塗布部１４ａへ移動し、当該塗布部１４ａにより、アイラインの細い線を柔らかい感触で描くことができる。
【００９１】
そして、特に、このようなアイライナー化粧料塗布容器１００によれば、強度において塗布体１４＜塗布体ホルダ１２の先部支持部１２ｇ＜塗布体ホルダ１２の後部支持部１２ｔの大小関係を満たすことにより、以下の作用・効果を好適に奏する。すなわち、強度の高い後部支持部１２ｔ，１２ｔのその後端の開口１２ｕを通して中継芯１７が容易に案内されて進入し、この状態で、塗布体１４の後部１４ｚが、強度の高い後部支持部１２ｔ，１２ｔに挟まれ支持され、当該塗布体１４の後部１４ｚが逃げることなく、後部支持部１２ｔ，１２ｔに案内されて進入した中継芯１７が、塗布体１４の後部１４ｚに容易に差し込まれる。このため、中継芯１７のアイライナー化粧料Ｌを、塗布体１４へ確実に移動させることができると共に、後部支持部１２ｔ、１２ｔの後端の開口１２ｕを通してアイライナー化粧料Ｌの流れが直進となり、中継芯１７のアイライナー化粧料Ｌを円滑に移動させることができる。加えて、塗布体１４の先部１４ｘによる塗布の際に、塗布体１４より強度が高く且つ後部支持部１２ｔ，１２ｔより強度が低い先部支持部１２ｇによって塗布体１４の先部１４ｘ側をしっかりと支持しつつ、先部支持部１２ｇ及び塗布体１４の先部１４ｘ側をしならせながら良好に塗布ができると共に、先部支持部１２ｇが肌に当たった場合の肌当たりを良くできる。特に、塗布体１４は、アイラインの細い線を描くべく薄い平板状にされると共に、柔らかい感触のものとされているため、当該塗布体１４はぺらぺらであり、そのままでは、塗布体１４の先部１４ｘが、アイラインを描く際の筆圧により折れ曲がってしまうという問題を生じるが、本実施形態においては、塗布体１４の先部１４ｘ側を先部支持部１２ｇによりしっかり支持しているため、その点は解消されており、目の縁に沿って所望幅の細い綺麗なアイラインを容易に描くことができる。
【００９２】
また、本実施形態によれば、ホルダ先部１２ｘとホルダ後部１２ｚが、２色成形により一体で成形されて塗布体ホルダ１２が構成されているため、その製造が容易である。
【００９３】
また、本実施形態によれば、塗布体ホルダ１２のホルダ後部１２ｚの係止部１２ｗが、強度において先部支持部１２ｇ＜係止部１２ｗ＝容器本体１１の関係を満たしているため、係止部１２ｗをしっかりと容器本体１１に係合でき、塗布体ホルダ１２を容器本体１１にしっかりと装着できる。なお、第２実施形態では、ホルダ後部１２ｚの材質を、容器本体１１と同一としいるが、ホルダ後部１２ｚの材質は、先部支持部１２ｇより硬く、且つ、容器本体１１より軟らかい材質としても良い。
【００９４】
また、本実施形態によれば、塗布体１４の方が中継芯１７に比して柔らかいため、塗布体ホルダ１２の後部支持部１２ｔ、１２ｔに挟まれ支持される塗布体１４の後部１４ｚのその後端面に対して、中継芯１７を確実に差し込むことができる。
【００９５】
また、中継芯１７は先端に突起１７ｂを備え、塗布体１４の後端面には、中継芯１７の突起１７ｂが進入するへこみ１４ｋを備えているため、塗布体１４の後端面のへこみ１４ｋに、中継芯１７の突起１７ｂが確実に差し込まれて進入することができる。
【００９６】
また、塗布体ホルダ１２の後部支持部１２ｔ，１２ｔ同士の間に、後端の開口１２ｕに連通し前側に延びるスリット１２ｓ，１２ｓを備え、塗布体ホルダ１２は、スリット１２ｓ，１２ｓを後側から前側へ通る塗布体１４を突き当てるためのストッパ１２ｆ，１２ｆを備えているため（図１６参照）、塗布体１４のストッパ１４ｆ，１４ｆが塗布体ホルダ１２のストッパ１２ｆ，１２ｆに突き当たることによって（図１２参照）、塗布体１４の位置決めが容易に成されると共に、塗布体１４のそれ以上の前進が阻止され、これにより、図１２及び図１３に示すアイライナー化粧料塗布容器２００の状態において塗布体１４の汚れを落とす等の清掃をしているときに、当該塗布体１４が前方に抜け出てしまうことを防止できる。
【００９７】
なお、この第２実施形態では、特に好ましいとして、塗布体ホルダ１２の後部支持部１２ｔ，１２ｔを円筒を半割とした断面略半円筒形状とし、一方の断面略半円筒形状の両側の端面１２ｍ，１２ｍと他方の断面略半円筒形状の両側の端面１２ｍ，１２ｍとの間で、平板状の塗布体１４の後部１４ｚ（突出部１４ｗ，１４ｗ）を挟むようにして支持しているが、塗布体１４の後部１４ｚのうち、塗布体ホルダ１２の後部支持部１２ｔ，１２ｔにより挟まれず且つ覆われずに外部に露出している部分を包むように覆い支持するようにしても良い。また、後部支持部１２ｔ，１２ｔの断面略半円筒形状を平板状に代え、平板状の塗布体１４の後部１４ｚを、一対の平板状の後部支持部同士で挟むようにして支持しても良く、また、この平板状の後部支持部により挟まれずに外部に露出している部分を覆うようにし、塗布体１４の後部１４ｚの全周を包むようにして支持するようにしても良い。これらのように構成しても、塗布体１４の後部１４ｚを、塗布体ホルダ１２の後部支持部１２ｔ，１２ｔにより挟み支持する場合とほぼ同様な作用・効果を奏する。また、これらのように構成する場合、塗布体１４は、へこみ１４ｋがない平板でも良い。
【００９８】
以上、本発明をその実施形態に基づき具体的に説明したが、本発明は上記実施形態に限定されるものではなく、例えば、上記実施形態においては、特に好ましいとして、塗布体４，１４を平板状としているが、湾曲した板状でも良い。
【００９９】
また、第１実施形態の塗布体ホルダ２を、第２実施形態のように２色成形により一体で成形しても良い。また、第２実施形態の塗布体ホルダ１２を、第１実施形態のようにホルダ先部とホルダ後部の部品に分け、嵌合等により連結し一体化しても良い。
【０１００】
また、上記実施形態においては、材質の違いにより、強度において塗布体４，１４＜先部支持部２ｇ，１２ｇ＜後部支持部２ｔ，１２ｔの関係を満たすようにしているが、塗布体ホルダ２，１２を同一材より形成し、塗布体ホルダ２，１２の先部支持部２ｇ，１２ｇと後部支持部２ｔ，１２ｔの厚みを変えることにより、強度において塗布体４，１４＜先部支持部２ｇ，１２ｇ＜後部支持部２ｔ，１２ｔの関係を満たすようにしても良い。
【０１０１】
また、上記実施形態においては、材質の違いにより、強度において先部支持部２ｇ，１２ｇ＜係止部２ｗ，１２ｗ≦容器本体１，１１の関係を満たすようにしているが、塗布体ホルダ２，１２を同一材より形成し、係止部２ｗ，１２ｗの厚みや軸線方向長さを変えることにより、強度において先部支持部２ｇ，１２ｇ＜係止部２ｗ，１２ｗ≦容器本体１，１１の関係を満たすようにしても良い。
【０１０２】
また、上記実施形態のアイライナー化粧料塗布容器１００，２００に、アイライナー化粧料Ｌを先端側に押し出す例えば加圧ピストンのような押出機構を設け、この押出機構を、アイライナー化粧料Ｌを先端側へ移動させる補助として用いるようにしても良い。また、使用者の押圧力によりアイライナー化粧料Ｌを押し出すことができるチューブやソフトボトル等のスクイーズタイプのアイライナー化粧料塗布容器に対しても適用することも可能である。
【０１０３】
また、上記実施形態においては、特に好ましいとして、液体をアイライナー化粧料Ｌとし、容器をアイライナー化粧料塗布容器１００，２００としているが、液体を例えばアイブロウやヘアマスカラ等の他の液状化粧料とし、容器を他の液状化粧料塗布容器としても良く、さらには、液体を筆記用具等のインキや糊や液状の医薬品とし、容器を液体塗布容器とすることも可能である。
【符号の説明】
【０１０４】
１，１１…容器本体、２，１２…塗布体ホルダ、２ｆ，１２ｆ…ストッパ、２ｇ，１２ｇ…先部支持部、２ｓ，１２ｓ…スリット、２ｔ，１２ｔ…後部支持部、２ｕ，１２ｕ…開口、２ｗ，１２ｗ…係止部、２ｘ，１２ｘ…ホルダ先部、２ｚ，１２ｚ…ホルダ後部、３…中綿（含浸体）、４，１４…塗布体、４ａ，１４ａ…塗布部、４ｘ，１４ｘ…先部、４ｚ，１４ｚ…後部、１７…中継芯（含浸体）、１００，２００…アイライナー化粧料塗布容器（液体塗布容器）、Ｌ…アイライナー化粧料（液体）。
【図１】
2018126210.tif 000003
【図２】
2018126210.tif 000004
【図３】
2018126210.tif 000005
【図４】
2018126210.tif 000006
【図５】
2018126210.tif 000007
【図６】
2018126210.tif 000008
【図７】
2018126210.tif 000009
【図８】
2018126210.tif 000010
【図９】
2018126210.tif 000011
【図１０】
2018126210.tif 000012
【図１１】
2018126210.tif 000013
【図１２】
2018126210.tif 000014
【図１３】
2018126210.tif 000015
【図１４】
2018126210.tif 000016
【図１５】
2018126210.tif 000017
【図１６】
2018126210.tif 000018
【図１７】
2018126210.tif 000019
【図１８】
2018126210.tif 000020
【図１９】
2018126210.tif 000021
【図２０】
2018126210.tif 000022
【図２１】
2018126210.tif 000023
【図２２】
2018126210.tif 000024
【図２３】
2018126210.tif 000025